(57)【要約】      （修正有）【課題】ベルトコンベヤのキャリヤ側ベルトの蛇行を調整する蛇行調整装置を提供する。【解決手段】ベルトコンベヤＡに於けるキャリヤ側ベルトａの両端縁外側に柱材６を設けて、柱材の上端に水平な支点軸を介し支持部材Ｂのベルトの長手方向上流側と下流側との中間を回動可能に支持し、支持部材上に取り付けてあるプレート９上のベルトの長手方向点在位置にホルダＣを設けて、各ホルダに長尺胴の縦長な並列各ローラ１０のセンタ支軸の下端を取り付け、柱材６に傾動調整後の支持部材の傾動を止める固定手段を設けた。【選択図】図１
0003215422.tif 000002
【実用新案登録請求の範囲】
【請求項１】
ベルトコンベヤに於けるキャリヤ側ベルトの両端縁外側に柱材を設けて、この柱材の上端に水平な支点軸を介し支持部材のベルトの長手方向上流側と下流側との中間を回動可能に支持し、この支持部材上に取り付けてあるプレート上の上記ベルトの長手方向点在位置にホルダを設けて、この各ホルダに長尺胴の縦長な並列各ローラのセンタ支軸の下端を取り付け、また上記柱材に上記傾動調整後の前記支持部材の傾動を固定手段により止めるようにしたことを特徴とする蛇行調整装置。
【請求項２】
前記ローラの上向き突出長さが、ベルトの走行方向側に順次長くなっているようにしたことを特徴とする請求項１に記載の蛇行調整装置。
【考案の詳細な説明】
【技術分野】
【０００１】
この考案は、ベルトコンベヤにおけるキャリヤ側ベルトの蛇行を調整する装置に関する。
【背景技術】
【０００２】
一般的なベルトコンベヤは、キャリヤ側ベルト上にバラ物を搭載して、直送あるいは必要に応じて分岐しながら搬送する。
【０００３】
バラ物搬送コンベヤでバラ物を搬送する場合、次の工程へと乗り継いでいく場合、周知のように上流側ベルトコンベヤのヘッド部下側に下流側ベルトコンベヤのテール部をオーバーラップするようにして、複数本のベルトコンベヤを継ぎ足すものや、一時的備蓄のために仮積みする場合や或いは原料や製品のブレンド等が目的で貯蔵や移動を繰り返す場合、ベルトコンベヤのキャリヤ側ベルトに走行装置機器（トリッパ）を用いたものや、移動型を用いる場合は、荷受けや払い出しが目的で当該コンベヤ本体を跨いで走行するスタッカやリクレーマ或いはトリッパ等の走行装置を有することが多い。
【０００４】
この場合、構造上本体コンベヤのキャリヤ側ベルトの一部分を浮き上がらせながら走行して（この要因は、荷受け側に対し払い出し側が上側でオーバーラップする部分が登り傾斜することなどで）、荷受けや払い出し操作することになる。
【０００５】
このように、水平状態のコンベヤが傾斜角度で変わる部分では、少なからずコンベヤベルトがアイドラローラに触れずに、浮き上がった状態になる。
【０００６】
しかし、このような走行装置、機器が設置されたベルトコンベヤの起動時や運転操業状態は各機によって異なるが、そのベルトの浮き上がり変動量（状態）は、本体コンベヤからキャリヤローラに全く触れずに離れながら浮き上がっていく途中のベルト浮き上がり状態に比べ、ヘッド部から傾斜部に至る部分のコンベヤベルトの浮き上がりの変動量の少ない状態でヘッドプーリに入ることになり、ベルトの蛇行が避けられなかった。
そこで、ベルトの蛇行を調整しようとする装置（例えば、特許文献１）がある。
【先行技術文献】
【特許文献】
【０００７】
【特許文献１】特開２０１５−１４５２９１号公報
【考案の概要】
【考案が解決しようとする課題】
【０００８】
ところで、特許文献１の蛇行調整の方式は、支持部材の上端にベルトの長手方向に向く両端が昇降するように傾動体の中間を支軸を介し支持し、この傾動体の中間及び両端に両端の大径部（鍔部）が上下に位置する並列鼓状ローラの各支軸の下端を支持して、ベルトの蛇行にともなうベルト側縁の安定した走行を上下の大径部（鍔部）で保障するようにしてある。
【０００９】
しかしながら、キャリヤ側ベルトが直線状態すなわち、ベルトが浮き上がらない所では、蛇行調整効果がすぐれているが、ベルトが若干でも昇降する場所では、取り付けできない問題があった。
【００１０】
なぜなら、ベルトが完全に浮いている状態でなく、少し浮き気味状態での搬送中でもあり、また比較的ベルト張力が大きい箇所であっても小さな力で蛇行調整ができるが、常に移動する状態にある装置、機器なので、安全かつ無人化で蛇行調整が行えることが肝要だったからである。
【００１１】
なお、ベルトの側縁外側に直胴型のローラを配置した方式や、トラフ型のサイドローラの外端の外側に外端側が大径になる円錐ローラを配置した方式や、両サイドローラを外端側に向かう程小径になるようにした方式や、両サイドローラの外側の柱材に縦ローラを配置した方式があるが、蛇行したベルトをスムーズにかつ強制的に元に戻す作用効果が発揮されない。
【００１２】
また、通常一般的に用いられている前傾キャリヤドライブのように上部に飛び出していないタイプのものや、単体のガイドアイドラで強制的に蛇行を規制するタイプが用いられるも、期待するような効果も望めなかった。
【００１３】
さらに、ブレンディングの走行装置機器や、スタッカ走行装置機器が走行するヤード設備において、従来型の自動調芯アイドラ（中間に旋回支軸を有するキャリヤ側ローラの支承旋回スタンドの両側端に縦型なガイドローラを設置したもの）や、ガイドアイドラタイプによるベルトコンベヤベルト蛇行対策では、走行装置機器の下部構造体（クッションカー）及びその他の装置の部分に干渉する問題があった。
そこで、この考案は、上述の各問題を解決した蛇行調整装置を提供することにある。
【課題を解決するための手段】
【００１４】
上記の課題を解決するために、この考案は、ベルトコンベヤに於けるキャリヤ側ベルトの両端縁外側に柱材を設けて、この柱材の上端に水平な支点軸を介し支持部材のベルトの長手方向上流側と下流側との中間を回動可能に支持し、この支持部材上に取り付けてあるプレート上の上記ベルトの長手方向点在位置にホルダを設けて、この各ホルダに長尺胴の縦長な並列各ローラのセンタ支軸の下端を取り付け、また上記柱材に上記傾動調整後の前記支持部材の傾動を固定手段により止めるようにした構成を採用する。
【００１５】
また、前記ローラの上向き突出長さが、ベルトの走行方向側に順次長くなっているようにした構成を採用する。
【考案の効果】
【００１６】
以上のように、この考案の蛇行調整装置によれば、固定手段による固定を解除することで、支持部材に対するプレートを傾動（支点軸を中心にして）することができて、ベルトの走行方向に各ローラを傾倒し、その後に固定手段により支持部材に対するプレートの傾動を止めることができるので、浮き上がり（登り傾斜による）にともなうベルトの側面、すなわち、ベルトの厚みに対して直角にトラフ方向に各ローラを倒すことができる。
【００１７】
このため、ローラの回転によりベルトの側縁面を上から押さえるような分力が働く基本的な作用で極めてスムーズにベルトの蛇行を調整することができる。
【００１８】
そして、各ローラを長尺胴の縦長として、ローラ端に鍔がないため、従来のように鍔が浮き上がり気味のベルトと干渉するために発生した不都合をなくすることができ、かつ走行機器の下部に干渉する問題もなくすることができる。
【００１９】
また、並列各ローラの上向き突出長さが、ベルトの走行方向側に順次長くしてある点、すなわち傾倒角度にあわせてローラ天端を略水平になるようにしてあるので、ベルトの浮き上がりにともなうローラ天からベルトの側縁が外れることがなく、かつ各装置と干渉しない特有の効果がある。
【図面の簡単な説明】
【００２０】
【図１】この考案の実施の一例を示す一部切欠正面図である。
【図２】同上の一部切欠正面図である。
【図３】同一部切欠拡大側面図である。
【図４】同上の要部を示す一部切欠正面図である。
【図５】同上のローラを傾動調整した側面図である。
【図６】ローラの他の例を示す側面図である。
【図７】同上の一部切欠正面図である。
【考案を実施するための形態】
【００２１】
次に、この考案の実施例を添付図面に基づいて説明する。
第１の実施例の図１から図５に示すＡは、ベルトコンベヤである。
【００２２】
このベルトコンベヤＡは、周知のように、ヘッドプーリとテールプーリ（いずれも図示省略）との間にかけ渡した無端状のベルトａと、このベルトａのキャリヤ側裏面を支承するように前後に多数列配置したトラフ型のキャリヤローラ１と、ベルトａのリターン側表面を支承するように前後に多数列配置したリターンローラ２とで構成されている。
【００２３】
また、キャリヤ側ベルトａの蛇行調整を必要とする箇所の両側縁外側には、支持部材Ｂが配置されている。
【００２４】
上記の支持部材Ｂは、図示の場合（図２、３、４に示す）倒立Ｌ形の水平板３と、この水平板３のベルトａの側縁側から連なって下方に延びる垂直板４とで構成され、リターン側ベルトａの両外側のコンベヤフレーム５上に柱材６の下端を締付金具７を介し取り付け、この柱材６の上端に上記垂直板４のベルトａの長手方向上流側と下流側との中間を水平な支点軸８を介し回動可能に取り付ける。
【００２５】
そして、図２、３、４に示すように、支持部材Ｂの水平板３上には、ベースプレート９を重ねて、水平板３にベースプレート９を取り付ける。
【００２６】
このベースプレート９上のベルトａの長手方向の点在位置には、縦長な（長尺胴の）各ローラ１０のセンタ支軸１１の下端を保持するホルダＣが設けてある。
【００２７】
上記ホルダＣは、図示の場合ベースプレート９上の三点に筒体１２の下端を溶接などで固定し、そしてこの筒体１２にローラ１０の中心に貫通するフリー回転の支軸１１の下端を嵌入して、筒体１２にねじ込んであるボルト１３の先を支軸１１の周面に圧接することで取り付けるようにしたが、三点、すなわち三本に限定されず、かつその他の手段によりベースプレート９の点在位置にホルダＣを介し各ローラ１０を保持してもよい。
【００２８】
すると、支点軸８を支点として支持部材Ｂと共にベースプレート９を傾動させて、ベースプレート９上の起立する各ローラ１０の軸芯を垂直からキャリヤ側ベルトａの走行方向に傾斜させることができる。
勿論、傾動調整後の支持部材Ｂを、固定手段Ｄにより傾動しないようにする。
【００２９】
上記の固定手段Ｄは、図示の場合、柱材６の上端支点軸８を挟む両側の透孔にボルトとナットとからなる締付金具ｄのボルトを貫通し、また垂直板４に支点軸８を中心とする同心弧状の長孔１４を設けて、この長孔１４に締付金具ｄのボルトを貫通したが、限定されない。
要するに、傾動調整後の支持部材Ｂの傾動を止めるものであればよい。
【００３０】
なお、図３、４、５に示すように、水平板３のキャリヤ側ベルトａ上流及び下流側端に透孔１６を設け、またベースプレート９の前記透孔１６と合致する部分で、かつベルトａの幅方向に沿う長孔１７を設け、この合致する透孔１６と長孔１７とにボルトとナットとからなる締付具１８のボルトを貫通させてあるので、ベルトａの側縁に対し接近、離反方向にベースプレート９をスライドさせることができ、ベルトａの側縁に対するローラ１０の距離を図４に示すように自由に調整することができる。
【００３１】
上記のように構成すると、リターン側ベルトａの蛇行にともない並列するローラ１０でベルトａの蛇行を調整すると共に、各ローラ１０を縦長（長胴）としてあるので、ベルト１０の上方浮き上がりにともなうベルトａの側縁がローラ１０上位端から外れることなく安定した蛇行調整を行うと共に、従来の鼓状ローラの鍔部による各種問題をなくする以外に、ベースプレート９を共に各ローラ１０の傾動調整により、例えばリターン側ベルトａの登り傾斜にともなう浮き上がり量が大きい問題すなわち、リターン側ベルトａの走行方向に各ローラ１０を傾倒させることで、ベルトａに蛇行を修正しようとする作用力を有効に働かすことができる。
【００３２】
次に、第２の実施例の図６、７を説明する。
図６、７のベルトコンベヤＡ、支持部材Ｂ、この支持部材Ｂに対し傾動するベースプレート９、プレート９に設けてあるホルダーＣに支軸１１を保持するローラ１０及び柱材６に対するプレート９の傾動固定手段Ｄは、第１の実施形態と同様につき詳細な説明を省略する。
【００３３】
第２の実施形態の並列各ローラ１０の上向き突出長さが、ベルトａの走行方向側に順次長くなるようになっている。
【００３４】
この順次長く（突出端が）する要因は、ベルトａの走行方向に各ローラ１０を傾動させた際、ベルトａの側縁から各ローラ１０の上端が外れないことにあり、このことにより各ローラ１０によりベルト１０の蛇行を調整する作用力が作用し、また各傾倒したローラ１０の上端（天）が略水平になって、走行機器の下部に干渉しないことにある。
【符号の説明】
【００３５】
Ａ    ベルトコンベヤ
ａ    ベルト
Ｂ    支持部材
Ｃ    ホルダ
Ｄ    固定手段
ｄ    締付金具
１    キャリヤローラ
２    リターンローラ
３    水平板
４    垂直板
５    コンベヤフレーム
６    柱材
７    締付金具
８    支点軸
９    ベースプレート
１０  ローラ
１１  支軸
１２  筒体
１３  ボルト
１６  透孔
１７  長孔
１９  締付具
【図１】
0003215422.tif 000003
【図２】
0003215422.tif 000004
【図３】
0003215422.tif 000005
【図４】
0003215422.tif 000006
【図５】
0003215422.tif 000007
【図６】
0003215422.tif 000008
【図７】
0003215422.tif 000009
【手続補正書】
【提出日】平成30年1月18日(2018.1.18)
【手続補正１】
【補正対象書類名】明細書
【補正対象項目名】００１４
【補正方法】変更
【補正の内容】
【００１４】
上記の課題を解決するために、この考案は、ベルトコンベヤに於けるキャリヤ側ベルトの両端縁外側に柱材を設けて、この柱材の上端に水平な支点軸を介し支持部材のベルトの長手方向上流側と下流側との中間を傾動可能に支持し、この支持部材上に取り付けてあるプレート上の上記ベルトの長手方向点在位置にホルダを設けて、この各ホルダに長尺胴の縦長な並列各ローラのセンタ支軸の下端を取り付け、また上記柱材に前記支持部材の傾動を固定手段により止めるようにした構成を採用する。
【手続補正２】
【補正対象書類名】実用新案登録請求の範囲
【補正対象項目名】請求項１
【補正方法】変更
【補正の内容】
【請求項１】
ベルトコンベヤに於けるキャリヤ側ベルトの両端縁外側に柱材を設けて、この柱材の上端に水平な支点軸を介し支持部材のベルトの長手方向上流側と下流側との中間を傾動可能に支持し、この支持部材上に取り付けてあるプレート上の上記ベルトの長手方向点在位置にホルダを設けて、この各ホルダに長尺胴の縦長な並列各ローラのセンタ支軸の下端を取り付け、また上記柱材に前記支持部材の傾動を固定手段により止めるようにしたことを特徴とする蛇行調整装置。